【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
以下を備える一体型折り畳み光起電（ＰＶ）アセンブリ：
ＰＶモジュール、これは前縁および後縁を対向して備えるとともに、上面および下面を備える、
前部支持体、これはＰＶモジュールの前縁に固定されるとともに、第１支持面係合面を有する、並びに
後部支持アセンブリ、これは第１および第２端部を有するとともに風デフレクタを備える風デフレクタアセンブリと、ＰＶモジュールの後縁から下外方に延びる使用姿勢とＰＶモジュールの下面に沿って延びる収納姿勢とに風デフレクタアセンブリが設置可能とする、風デフレクタアセンブリの第１端部をＰＶモジュールの後縁に固定する連結部とを備え、風デフレクタアセンブリの第２端部は第２支持面係合面を備える。
【請求項２】
前記風デフレクタアセンブリがブラケットや脚を備え、ブラケットが風デフレクタアセンブリの第１端部をＰＶモジュールに固定する前記連結部を備え、ブラケットは風デフレクタに固定され、かつ風デフレクタから延びており、風デフレクタが現場で脚に対し取付け可能である請求項１に記載のアセンブリ。
【請求項３】
前記ＰＶモジュールが周縁を備え、周縁と下面がＰＶモジュール内部を形成し、風デフレクタアセンブリが収納姿勢のとき、後部支持アセンブリが完全にＰＶモジュール内部に位置し、
前記前部支持体が、前縁から外方に延びる使用姿勢と、ＰＶモジュールの下面に沿って延びる収納姿勢との間で姿勢変更動作可能にＰＶモジュールに枢支連結され、収納姿勢のとき前部支持体が完全にＰＶモジュール内部に位置する請求項１に記載のアセンブリ。
【請求項４】
以下を備える光起電（ＰＶ）設備、
支持面、
前記支持面上で互いに隣接する複数の、請求項１に記載のＰＶアセンブリ、この複数のＰＶアセンブリは、ＰＶアセンブリの配列からなり、この配列を構成するＰＶアセンブリの列が端部を備えている、並びに
互いに隣接したＰＶアセンブリを固定する連結具。
【請求項５】
ＰＶアセンブリが、１平方メートル当たり７１８Ｎ未満の重量を有する請求項１に記載のアセンブリ。
【請求項６】
ＰＶアセンブリが、１平方メートル当たり１４４Ｎ未満の重量を有する請求項１に記載のアセンブリ。
【請求項７】
以下を備える一体型折り重ね光起電（ＰＶ）アセンブリ、
ＰＶモジュール、これは周縁と上面と下面とを備え、周縁は前縁および後縁を対向して備え、周縁と下面がＰＶモジュール内部を形成する、
前記前縁に固定されるとともに第１支持面係合面を備える前部支持体、これはＰＶモジュールの前縁から下外方に延びる使用姿勢とＰＶモジュールの下面に沿って延びる収納姿勢との間で姿勢変更動作可能にＰＶモジュールに枢支連結され、収納姿勢のときには前部支持体が完全にＰＶモジュール内部に位置する、並びに
後部支持アセンブリ、これは第１および第２端部を有するとともに第２端部が第２支持面係合面を備える風デフレクタアセンブリと、前記第１端部をＰＶモジュールの後縁に枢支連結し、ＰＶモジュールの後縁から下外方に延びる使用姿勢とＰＶモジュールの下面に沿って延びる収納姿勢とに風デフレクタアセンブリを設置可能にするピボット連結部とを備え、かつ、風デフレクタアセンブリが収納姿勢のときには完全にＰＶモジュール内部に位置する。
【請求項８】
以下のステップを備える、複数のＰＶアセンブリの配列を支持面に設置する方法、
複数の折り重ねたＰＶアセンブリを、折り重ね収納姿勢で作業場所において受け取る受け取りステップ、各ＰＶアセンブリは、下面と、前部支持体と、風デフレクタを有する後部支持アセンブリとを備えたＰＶモジュールからなり、収納姿勢では前記後部支持アセンブリがＰＶモジュールに枢支連結され、ＰＶモジュールの下面に沿って延びている、
前記複数のＰＶアセンブリのうち少なくとも１つのＰＶアセンブリを収納姿勢から使用姿勢に変換する変換ステップ、この変換ステップは、後部支持アセンブリをＰＶモジュールの下面から下外方に回動し、前部支持体をＰＶモジュールから外方に延びるよう配置することによって行われる、並びに
使用姿勢になっている前記少なくとも１つのＰＶアセンブリを、支持面に位置決めする位置決めステップ。
【請求項９】
前記受け取りステップでは、複数の一体型折り重ねＰＶアセンブリを、前記前部支持体がＰＶモジュールに枢支連結されるとともに当該ＰＶモジュールの下面に沿って延びた収納姿勢で受け取り、
前記変換ステップでは、前記前部支持体がＰＶモジュールから下外方に回動する請求項８に記載の方法。
【請求項１０】
前記受け取りステップでは、ＰＶモジュールの周縁と下面とによって形成したＰＶモジュール内部に、前記前部支持体および後部支持アセンブリが収納姿勢に完全に位置する請求項９に記載の方法。
【請求項１１】
前記受け取りステップでは、ＰＶモジュールの周縁と下面とによって形成したＰＶモジュール内部に、前記後部支持アセンブリが収納姿勢に完全に位置する請求項８に記載の方法。
【請求項１２】
以下のステップを備える、支持面にＰＶモジュールの配列を形成し設置する方法、
下面を有する複数のＰＶモジュールをパッケージに入れて配送する配送ステップ、
前記パッケージからＰＶモジュールを取り出すステップ、
前記パッケージに、折り重ね収納姿勢でＰＶアセンブリを再梱包する再梱包ステップ、各ＰＶアセンブリは前記ＰＶモジュールと風デフレクタを有する後部支持アセンブリとを備え、収納姿勢では後部支持アセンブリはＰＶモジュールに枢支連結されＰＶモジュールの下面に沿って延びる、
ＰＶモジュールの配送に使用したのと同じパッケージでＰＶアセンブリを搬送する搬送ステップ、
複数の搬送されたＰＶアセンブリを、折り重ね収納姿勢で作業場所において受け取る受け取りステップ、
パッケージからＰＶアセンブリを取り出すステップ、
後部支持アセンブリをＰＶモジュールの下面から下外方に回動する後部支持アセンブリ回動ステップと、前部支持体をＰＶモジュールから遠ざかって外方に延びるよう配置する前部支持体配置ステップとによって、少なくとも１つのＰＶアセンブリを収納姿勢から使用姿勢に変換する変換ステップ、並びに
前記少なくとも１つのＰＶアセンブリを使用姿勢で支持面に位置決めする位置決めステップ。
【請求項１３】
複数のＰＶアセンブリについて、前記変換ステップおよび位置決めステップを繰り返して支持面にＰＶアセンブリの配列が形成され、
ＰＶアセンブリを平坦以外の支持面の形状に追従可能にした状態で、隣接したＰＶアセンブリ同士の横方向分離を防ぐ連結手段によって、配列されたＰＶアセンブリを互いに固定する請求項１２に記載の方法。
【請求項１４】
前記再梱包ステップが、前記前部支持体がＰＶモジュールに枢支連結されるとともにＰＶモジュールの下面に沿って延びる収納姿勢で行なわれ、
前記前部支持体配置ステップが、前記前部支持体をＰＶモジュールの下面から下外方に回動することにより行なわれる請求項１３に記載の方法。
【請求項１５】
以下を備える一体型密着式ＰＶアセンブリ：
ＰＶモジュール、これは前縁および後縁を対向して備えるとともに、上面および下面を備える、
前部支持体、これはＰＶモジュールの前縁に固定されるとともに第１支持面係合面を有し、かつＰＶモジュールの前縁から外方に延びている、並びに
後部支持アセンブリ、これは第１および第２端部を有するとともに風デフレクタを備える風デフレクタアセンブリを備え、風デフレクタアセンブリの第２端部は第２支持面係合面を備え、第１端部はＰＶモジュールの後縁に固定されており、この後縁から前記後部支持アセンブリが下外方に延びている、かつ
前記ＰＶアセンブリが接当密着可能な上面形状および下面形状を有することによって、第１および第２のＰＶアセンブリが搬送モードにおいて密着状に積み重ね可能に構成されており、第１のＰＶアセンブリのＰＶモジュールと前部支持体と後部支持アセンブリとが第２のＰＶアセンブリの対応構造に隣接することによって梱包密度が最大限になる。